(57)【要約】【課題】安価な構成で印刷速度を低下させることなくログデータを記録することができるログデータ記録装置、ログデータ記録方法、及びログデータ記録プログラムを提供する。【解決手段】画像形成装置１０は、不揮発性のＨＤＤ２０と、ＨＤＤ２０よりも高速にデータを書き込み可能な揮発性のＲＡＭ２２と、を備え、画像形成装置１０の画像形成動作中は、親プロセスや子プロセスで生成されたログデータをＲＡＭ２２に記憶させ、画像形成装置１０の電源オフが指示された場合や障害が発生した場合等のように画像形成装置１０を停止させる場合は、ＲＡＭ２２に記憶されたログデータをＨＤＤ２０に記憶させる。【選択図】図１
2008162168.tif 000002
【特許請求の範囲】
【請求項１】
不揮発性の第１の記憶手段と、
前記第１の記憶手段よりも高速にデータを書き込み可能な揮発性の第２の記憶手段と、
画像形成装置に関するログデータを生成するログデータ生成手段と、
前記画像形成装置の画像形成動作中は、前記ログデータを前記第２の記憶手段に記憶させ、前記画像形成動作中以外の所定タイミングで、前記第２の記憶手段に記憶されたログデータを前記第１の記憶手段に記憶させる制御手段と、
を備えたログデータ記録装置。
【請求項２】
前記所定タイミングは、前記画像形成装置の電源オフが指示された時又は前記画像形成装置の障害発生時であることを特徴とする請求項１記載のログデータ記録装置。
【請求項３】
前記制御手段は、前記ログデータ生成手段によるログデータの生成を停止させた後に、前記第２の記憶手段に記憶されたログデータを前記第１の記憶手段に記憶させることを特徴とする請求項１又は請求項２記載のログデータ記録装置。
【請求項４】
前記制御手段は、前記画像形成装置の起動時に、前記第１の記憶手段に記憶されたログデータの少なくとも一部を前記第２の記憶手段に記憶させることを特徴とする請求項１乃至請求項３の何れか１項に記載のログデータ記録装置。
【請求項５】
前記制御手段は、前記画像形成装置の起動時に、前記第１の記憶手段に記憶されたログデータの少なくとも一部を前記第２の記憶手段に記憶させた後に、前記ログデータ生成手段によるログデータの生成を開始させることを特徴とする請求項４記載のログデータ記録装置。
【請求項６】
前記制御手段は、前記画像形成装置の起動時は、当該制御手段の制御に関するログデータを前記第１の記憶手段に記憶させ、前記第１の記憶手段に記憶されたログデータの少なくとも一部を前記第２の記憶手段に記憶させた後に、前記制御に関するログデータを前記第２の記憶手段に記憶させることを特徴とする請求項４又は請求項５記載のログデータ記録装置。
【請求項７】
前記制御手段は、当該制御手段の制御に関するログデータを常に前記第１の記憶手段に記憶させることを特徴とする請求項１乃至請求項５の何れか１項に記載のログデータ記録装置。
【請求項８】
前記制御手段は、当該制御手段の制御に関するログデータを前記第１の記憶手段に記憶させないことを特徴とする請求項１乃至請求項５の何れか１項に記載のログデータ記録装置。
【請求項９】
画像形成装置に関するログデータを生成し、
前記画像形成装置の画像形成動作中は、前記ログデータを不揮発性の第１の記憶手段よりも高速にデータを書き込み可能な揮発性の第２の記憶手段に記憶させ、前記画像形成動作中以外の所定タイミングで、前記第２の記憶手段に記憶されたログデータを前記第１の記憶手段に記憶させる
ログデータ記録方法。
【請求項１０】
画像形成装置に関するログデータを生成するステップと、
前記画像形成装置の画像形成動作中は、前記ログデータを不揮発性の第１の記憶手段よりも高速にデータを書き込み可能な揮発性の第２の記憶手段に記憶させ、前記画像形成動作中以外の所定タイミングで、前記第２の記憶手段に記憶されたログデータを前記第１の記憶手段に記憶させるステップと、
を含む処理をコンピュータに実行させるためのログデータ記録プログラム。
【発明の詳細な説明】
【技術分野】
【０００１】
本発明は、ログデータ記録装置、ログデータ記録方法、及びログデータ記録プログラムに係り、より詳しくは、画像形成装置の動作に関する各種ステータス等を含むログデータを記録するログデータ記録装置、ログデータ記録方法、及びログデータ記録プログラムに関する。
【背景技術】
【０００２】
従来、プリンタやファクシミリ等の画像形成装置の動作中に障害等が発生した場合に、その状況が確認できるように、画像形成中の動作等に関する各種ステータス等を含むログデータを記憶装置に記録する装置が提案されている（例えば特許文献１参照）。
【０００３】
また、ログデータを記憶するための記憶装置としては、例えばハードディスクドライブ等があるが、例えば電子写真方式で連帳紙に画像を印刷する高速カラー連帳紙プリンタ等のような生産性の高い高速な装置となると、ログデータの量も多くなり、ログデータの記録動作が思わぬ負荷となって印刷速度が低下してしまう、という問題があった。
【特許文献１】特開２００４−１２２４４８号公報
【発明の開示】
【発明が解決しようとする課題】
【０００４】
不揮発性のメモリでハードディスクドライブよりも高速な記憶装置は存在するが、同じ記憶容量で比較した場合、非常に高価になってしまう。また、ログデータをＲＡＭ等の揮発性のメモリに記憶すれば装置のコストを抑えることができるが、装置の電源を切った際にログデータが消失してしまうため、障害時の状況を知るためには装置の電源が切れる前に記録用紙に印刷する等の処理が必要となってしまう。
【０００５】
本発明は、上記問題を解決すべく成されたものであり、安価な構成で印刷速度を低下させることなくログデータを記録することができるログデータ記録装置、ログデータ記録方法、及びログデータ記録プログラムを提供することを目的とする。
【課題を解決するための手段】
【０００６】
上記目的を達成するために、請求項１記載の発明のログデータ記録装置は、不揮発性の第１の記憶手段と、前記第１の記憶手段よりも高速にデータを書き込み可能な揮発性の第２の記憶手段と、画像形成装置に関するログデータを生成するログデータ生成手段と、前記画像形成装置の画像形成動作中は、前記ログデータを前記第２の記憶手段に記憶させ、前記画像形成動作中以外の所定タイミングで、前記第２の記憶手段に記憶されたログデータを前記第１の記憶手段に記憶させる制御手段と、を備えたことを特徴とする。
【０００７】
この発明によれば、制御手段は、画像形成装置の画像形成動作中は、ログデータ生成手段で生成されるログデータを不揮発性の第１の記憶手段よりも高速にデータを書き込み可能な揮発性の第２の記憶手段に記憶させ、画像形成動作中以外の所定タイミングで、第２の記憶手段に記憶されたログデータを第１の記憶手段に記憶させる。
【０００８】
これにより、ログデータの記録動作によって画像形成動作の速度が低下するのを防ぐことができる。
【０００９】
なお、請求項２に記載したように、前記所定タイミングは、前記画像形成装置の電源オフが指示された時又は前記画像形成装置の障害発生時である構成とすることができる。
【００１０】
また、請求項３に記載したように、前記制御手段は、前記ログデータ生成手段によるログデータの生成を停止させた後に、前記第２の記憶手段に記憶されたログデータを前記第１の記憶手段に記憶させるようにしてもよい。これにより、ログデータの消失を防ぐことができる。
【００１１】
また、請求項４に記載したように、前記制御手段は、前記画像形成装置の起動時に、前記第１の記憶手段に記憶されたログデータの少なくとも一部を前記第２の記憶手段に記憶させるようにしてもよい。
【００１２】
この場合、請求項５に記載したように、前記制御手段は、前記画像形成装置の起動時に、前記第１の記憶手段に記憶されたログデータの少なくとも一部を前記第２の記憶手段に記憶させた後に、前記ログデータ生成手段によるログデータの生成を開始させるようにしてもよい。これにより、ログデータの消失を防ぐことができる。
【００１３】
また、請求項６に記載したように、前記制御手段は、前記画像形成装置の起動時は、当該制御手段の制御に関するログデータを前記第１の記憶手段に記憶させ、前記第１の記憶手段に記憶されたログデータの少なくとも一部を前記第２の記憶手段に記憶させた後に、前記制御に関するログデータを前記第２の記憶手段に記憶させるようにしてもよい。
【００１４】
また、制御手段の制御に関するログデータの量が少ない場合には、請求項７に記載したように、前記制御手段は、当該制御手段の制御に関するログデータを常に前記第１の記憶手段に記憶させるようにしてもよい。
【００１５】
また、制御手段の制御に関するログデータを第１の記憶手段に保存しておく必要がない場合には、請求項８に記載したように、前記制御手段は、当該制御手段の制御に関するログデータを前記第１の記憶手段に記憶させないようにしてもよい。
【００１６】
請求項９記載の発明のログデータ記録方法は、画像形成装置に関するログデータを生成し、前記画像形成装置の画像形成動作中は、前記ログデータを不揮発性の第１の記憶手段よりも高速にデータを書き込み可能な揮発性の第２の記憶手段に記憶させ、前記画像形成動作中以外の所定タイミングで、前記第２の記憶手段に記憶されたログデータを前記第１の記憶手段に記憶させることを特徴とする。
【００１７】
この発明によれば、画像形成装置の画像形成動作中は、生成されたログデータを不揮発性の第１の記憶手段よりも高速にデータを書き込み可能な揮発性の第２の記憶手段に記憶させ、画像形成動作中以外の所定タイミングで、第２の記憶手段に記憶されたログデータを第１の記憶手段に記憶させるので、ログデータの記録動作によって画像形成動作の速度が低下するのを防ぐことができる。
【００１８】
請求項１０記載の発明のログデータ記録プログラムは、画像形成装置に関するログデータを生成するステップと、前記画像形成装置の画像形成動作中は、前記ログデータを不揮発性の第１の記憶手段よりも高速にデータを書き込み可能な揮発性の第２の記憶手段に記憶させ、前記画像形成動作中以外の所定タイミングで、前記第２の記憶手段に記憶されたログデータを前記第１の記憶手段に記憶させるステップと、を含む処理をコンピュータに実行させるためのログデータ記録プログラムであることを特徴とする。
【００１９】
この発明によれば、画像形成装置の画像形成動作中は、生成されたログデータを不揮発性の第１の記憶手段よりも高速にデータを書き込み可能な揮発性の第２の記憶手段に記憶させ、画像形成動作中以外の所定タイミングで、第２の記憶手段に記憶されたログデータを第１の記憶手段に記憶させるので、ログデータの記録動作によって画像形成動作の速度が低下するのを防ぐことができる。
【発明の効果】
【００２０】
以上説明したように、本発明によれば、安価な構成で印刷速度を低下させることなくログデータを記録することができる、という効果を有する。
【発明を実施するための最良の形態】
【００２１】
以下、図面を参照しながら本発明の実施形態について説明する。
【００２２】
図１には、本実施形態に係る画像形成装置１０のハードウェア構成の概略構成を示すブロック図を示した。同図に示すように、画像形成装置１０は、制御部１２、ＵＩ（ユーザーインターフェース）パネル１４、及び画像出力部１６等を含んで構成されている。
【００２３】
制御部１２は、ホストコンピュータ４０からの指示により、又はユーザーのＵＩパネル１４の操作による指示により、印刷データを画像出力部１６へ出力して印刷動作を制御する。
【００２４】
画像出力部１６は、本実施形態では、一例として例えば電子写真方式による印刷を行うが、これに限られるものではない。電子写真方式では、画像に応じて変調されたレーザービームにより感光体上を走査すること等によって画像に応じた潜像を感光体上に形成させ、これをトナー現像して記録用紙に転写する。
【００２５】
制御部１２は、ＣＰＵ１８、ＨＤＤ（ハードディスクドライブ）２０、ＲＡＭ２２、ＵＩ制御部２４、ＩＯＴ（画像出力部）制御部２６、及び通信制御部２８等を含んで構成されている。これらの各部は、バス３０を介して相互に接続されている。
【００２６】
不揮発性の記憶装置であるＨＤＤ２０は、一例としてスプール領域２０Ａ、ログデータ保存領域２０Ｂ、及びシステム領域２０Ｃ等の記憶領域を備えている。ＨＤＤ２０は、少なくともＲＡＭ２２よりも記憶容量が大きいものが用いられる。
【００２７】
スプール領域２０Ａは、通信制御部２８を介してホストコンピュータ４０から入力された印刷データ等を一時的に記憶する領域である。
【００２８】
ログデータ保存領域２０Ｂは、詳細は後述するが、画像形成動作等に関して生成されるログデータを記憶する領域である。
【００２９】
システム領域２０Ｃは、画像形成動作を制御するためのオペレーティングシステムや当該オペレーティングシステム上で動作する各種プログラムが記憶される領域である。なお、本実施形態では、一例として、オペレーティングシステムとして複数のプロセス（タスク）を同時並行的に実行可能なマルチタスクオペレーティングシステムを用いて画像形成処理を実行する場合について説明する。
【００３０】
揮発性の記憶装置であるＲＡＭ２２は、一例としてログデータ書込領域２２Ａ、ワーク領域２２Ｂ、及びプログラムロード領域２２Ｃ等の記憶領域を備えている。ＲＡＭ２２は、少なくともＨＤＤ２０よりもデータの書き込み速度が速いものが用いられる。
【００３１】
ログデータ書込領域２２Ａは、例えば画像形成の動作中等に生成された各種ログデータが書き込まれる領域である。
【００３２】
ワーク領域２２Ｂは、後述する各プロセスの実行に際して使用される領域である。
【００３３】
プログラムロード領域２２Ｃは、オペレーティングシステムや各プロセスを実行するためのプログラムが読み込まれる領域である。ＣＰＵ１８は、プログラムロード領域２２Ｃに読み込まれたプログラムに従って処理を実行する。
【００３４】
なお、ＲＡＭ２２としては、例えばＤＲＡＭ （ＤｙｎａｍｉｃＲＡＭ）を用いることができるが、これに限らず、ＳＲＡＭ（ＳｔａｔｉｃＲＡＭ）、ＳＤＲＡＭ（ＳｙｎｃｈｒｏｎｏｕｓＤＲＡＭ）等の他の揮発性のメモリを用いてもよい。
【００３５】
図２には、制御部１２の機能ブロック図を示した。同図に示すように、制御部１２は、プリンタステータス管理部５０、ＧＵＩ管理部５２、入力制御部５４、印刷データ生成部５６、出力制御部５８、及びＩＯＴ管理部６０等の機能ブロックを含んで構成され、各々が相互に接続された構成である。これらの各部は、本実施形態ではマルチタスクオペレーティングシステム上で各プロセスを実行する機能部である。
【００３６】
プリンタステータス管理部５０は、プリンタステータス管理処理を行うプロセスを実行する機能部であり、例えば画像出力部１６の状態や、当該画像出力部１６で実行される画像形成動作において発生する用紙切れやトナー等の消耗品の消耗度合い等のステータス情報を管理し、これをログデータとして出力する。なお、本実施形態では、一例として、このプリンタステータス管理処理を行うプロセスを親プロセスとし、他の子プロセスを管理する処理も行う場合について説明するが、親プロセスを実行する機能部を別に設けても良い。
【００３７】
ＧＵＩ管理部５２は、ＧＵＩ管理処理を行うプロセスを実行する機能部であり、例えばユーザーによるＵＩパネル１４の操作等に関するステータス情報を管理し、これをログデータとして出力する。
【００３８】
入力制御部５４は、入力制御処理を行うプロセスを実行する機能部であり、例えばホストコンピュータ４０から入力された印刷データの受信等に関するステータス情報を管理し、これをログデータとして出力する。
【００３９】
印刷データ生成部５６は、印刷データ生成処理を行うプロセスを実行する機能部であり、入力制御部５４から入力された例えばページ記述言語で記述された印刷データをラスタデータ等に変換した印刷データを生成する場合のような印刷データの生成等に関するステータス情報を管理し、これをログデータとして出力する。
【００４０】
出力制御部５８は、出力制御処理を行うプロセスを実行する機能部であり、例えば印刷データ生成部５６で生成した印刷データのうち何ページ目をＩＯＴ管理部６０に出力したか等の印刷データの出力等に関するステータス情報を管理し、これをログデータとして出力する。
【００４１】
ＩＯＴ管理部６０は、画像出力制御処理を行うプロセスを実行する機能部であり、例えば画像出力部１６による一連の画像形成動作や画像出力部１６で発生した異常等に関するステータス情報を管理し、これをログデータとして出力する。
【００４２】
なお、本実施形態では、一例として、ＧＵＩ管理部５２、入力制御部５４、印刷データ生成部５６、出力制御部５８、及びＩＯＴ管理部６０の各部で実行されるプロセスを子プロセスとした場合について説明する。
【００４３】
また、親プロセス及び子プロセスは、各機能部においてログデータを出力すべき事象が発生する毎に、ログデータを出力する。
【００４４】
次に、本実施形態の作用として、画像形成装置１０の起動時及び停止時に制御部１２において実行される処理について、図３、４に示すフローチャートを参照して説明する。
【００４５】
まず、画像形成装置１０の起動時に実行される処理について図３に示すフローチャートを参照して説明する。なお、この処理は、画像形成装置１０の電源がオンされると親プロセスによって実行される。
【００４６】
ステップ１００では、親プロセスであるプリンタステータス管理処理が起動される。ステップ１０２では、親プロセスの実行によりログデータが発生した場合には、それをＨＤＤ２０のログデータ保存領域２０Ｂに記録する。
【００４７】
ステップ１０４では、親プロセスのログデータのＨＤＤ２０への書き込みを一時停止し、ステップ１０６において、ＨＤＤ２０のログデータ保存領域２０Ｂに記録されたログデータを読み出して、ＲＡＭ２２のログデータ書込領域２２Ａに書き込む。なお、ログデータの書き込みを一時停止した後に親プロセスで発生したログデータについては、内部に一次記憶しておくことが好ましい。
【００４８】
ステップ１０８では、ＨＤＤ２０のログデータ保存領域２０Ｂに記録されたログデータの全てがＲＡＭ２２のログデータ書込領域２２Ａに書き込まれたか否かを判断し、全て終了していない場合には、全て終了するまでログデータのコピーを行う。
【００４９】
ＨＤＤ２０のログデータ保存領域２０Ｂに記録されたログデータの全てがＲＡＭ２２のログデータ書込領域２２Ａに書き込まれた場合には、ステップ１１０において、子プロセスを起動する。すなわち、ＧＵＩ管理部５２、入力制御部５４、印刷データ生成部５６、出力制御部５８、及びＩＯＴ管理部６０の各部で実行される子プロセスを順次起動していく。
【００５０】
ステップ１１２では、全ての子プロセスを起動したか否かを判断し、全ての子プロセスを起動していない場合には、ステップ１１０へ戻って起動していない子プロセスを起動する。なお、全ての子プロセスが起動されると印刷処理を実行可能な状態となり、ホストコンピュータ４０から印刷データが入力された場合には、印刷処理が実行される。
【００５１】
全ての子プロセスが起動した場合には、ステップ１１４において、親プロセスで発生するログデータの書き込み対象をＲＡＭに変更する。このとき、ステップ１０４でログデータの書き込みを一時停止した以降に発生したログデータを内部に一次記憶していた場合には、そのログデータをＲＡＭ２２のログデータ書込領域２２Ａに書き込む。
【００５２】
以降、親プロセス及び子プロセスは、各々のプロセスの実行により発生したログデータをＲＡＭ２２のログデータ書込領域２２Ａに書き込む。
【００５３】
このように、本実施形態では、全ての子プロセスが起動して画像形成動作が可能になった後は、高速にデータを書き込み可能なＲＡＭ２２にログデータを書き込んでいる。このため、例えば連帳紙に画像を印刷する高速カラー連帳紙プリンタ等のような画像形成装置でログデータを記録する場合でも、印刷速度の低下を抑えることができ、生産性が低下するのを防ぐことができる。
【００５４】
また、本実施形態では、画像形成装置１０の起動時にＨＤＤ２０のログデータ保存領域２０Ｂに記憶されたログデータをＲＡＭ２２のログデータ書込領域２２Ａにコピーしてから子プロセスを起動しているので、例えばログデータをコピーする際にログデータ書込領域２２Ａの先頭から書き込むような処理にしていた場合に、すでに子プロセスによってログデータ書込領域２２Ａに書き込まれていたログデータを消失してしまう（上書きしてしまう）のを防ぐことができる。
【００５５】
次に、画像形成装置１０の停止時に実行される処理について図４に示すフローチャートを参照して説明する。なお、この処理は、画像形成装置１０の電源がオンされると親プロセスによって実行される。
【００５６】
まず、ステップ２００では、親プロセスが子プロセスから装置を停止すべき旨を示す停止信号を受信したか否かを判断する。なお、停止信号は、例えばユーザーがＵＩパネルを操作することにより電源オフが指示された場合にＧＵＩ管理部５２から出力されたり、画像出力部１６において紙詰まりやトナー切れ等の装置を停止せざるを得ない障害が発生した場合にＩＯＴ管理部６０から出力されたりするが、これに限らず、装置を停止すべき状態が発生した時に親プロセスに出力される。
【００５７】
そして、親プロセスが停止信号を受信した場合には、ステップ２０２へ移行する。ステップ２０２では、子プロセスを停止させ、ステップ２０４では全ての子プロセスを停止したか否かを判断する。全ての子プロセスを停止していない場合には、ステップ２０２へ戻って停止されていない子プロセスを停止させる。
【００５８】
このように、順次子プロセスを停止させた後は、ステップ２０６において、親プロセスのログデータのＲＡＭ２２への書き込みを一時停止し、ステップ２０８において、ＲＡＭ２２のログデータ書込領域２２Ａに記録されたログデータを読み出して、ＨＤＤ２０のログデータ保存領域２０Ｂに書き込む。なお、ログデータの書き込みを一時停止した後に親プロセスで発生したログデータについては、内部に一次記憶しておくことが好ましい。
【００５９】
ステップ２１０では、ＲＡＭ２２のログデータ書込領域２２Ａに記録されたログデータの全てがＨＤＤ２０のログデータ保存領域２０Ｂに書き込まれたか否かを判断し、全て終了していない場合には、全て終了するまでログデータのコピーを行う。
【００６０】
ＲＡＭ２２のログデータ書込領域２２Ａに記録されたログデータの全てがＨＤＤ２０のログデータ保存領域２０Ｂに書き込まれた場合には、ステップ２１２において、親プロセスで発生するログデータの書き込み対象をＨＤＤに変更する。このとき、ステップ２０６でログデータの書き込みを一時停止した以降に発生したログデータを内部に一次記憶していた場合には、そのログデータをＨＤＤ２０のログデータ保存領域２０Ｂに書き込む。  そして、ステップ２１４において、親プロセスを停止して本ルーチンを終了する。
【００６１】
このように、本実施形態では、画像形成装置１０の停止時に、子プロセスを全て停止させてから、ＲＡＭ２２に記憶していたログデータをＨＤＤ２０にコピーするので、ログデータの消失を防ぐことができる。
【００６２】
なお、本実施形態では装置を電源オフ時や異常発生時等の装置を停止すべき状態が発生した時にログデータをＲＡＭ２２からＨＤＤ２０へコピーしているが、画像形成動作の合間に休止期間がある場合には、その期間にログデータをコピーするようにしてもよい。
【００６３】
また、本実施形態では、親プロセスで発生するログデータもＲＡＭ２２に記憶するようにしているが、発生するログデータの量が印刷速度の低下を及ぼさない程度である場合には、常にＨＤＤ２０にログデータを記録するようにしてもよい。また、ＨＤＤ２０に記録しておく必要がないログデータの場合には、ログデータをＨＤＤ２０に書き込まないようにしても良い。これは子プロセスについても同様である。
【００６４】
また、本実施形態では、オペレーティングシステムとして複数のタスクを同時並行的に実行可能なマルチタスクオペレーティングシステムを用いて画像形成処理を実行する場合について説明したが、これに限られるものではなく、シングルタスクにより画像形成処理を実行する場合にも本発明を適用可能である。
【図面の簡単な説明】
【００６５】
【図１】画像形成装置のハードウェア構成の概略構成を示すブロック図である。
【図２】画像形成装置の機能構成を示すブロック図である。
【図３】画像形成装置の起動時に実行される処理のフローチャートである。
【図４】画像形成装置の停止時に実行される処理のフローチャートである。
【符号の説明】
【００６６】
１０      画像形成装置
１２      制御部（ログデータ記録装置）
１４      ＵＩパネル
１６      画像出力部
１８      ＲＡＭ
２０      ＲＡＭ
２０Ａ      スプール領域
２０Ｂ      ログデータ保存領域（第１の記憶手段）
２０Ｃ      システム領域
２２      ＨＤＤ
２２Ａ      ログデータ書込領域（第２の記憶手段）
２２Ｂ      ワーク領域
２２Ｃ      プログラムロード領域
２４      ＵＩ制御部
２６      ＩＯＴ制御部
２８      通信制御部
４０      ホストコンピュータ
５０      プリンタステータス管理部（制御手段）
５２      ＧＵＩ管理部（ログデータ生成手段）
５４      入力制御部（ログデータ生成手段）
５６      印刷データ生成部（ログデータ生成手段）
５８      出力制御部（ログデータ生成手段）
６０      ＩＯＴ管理部（ログデータ生成手段）
【図１】
2008162168.tif 000003
【図２】
2008162168.tif 000004
【図３】
2008162168.tif 000005
【図４】
2008162168.tif 000006